(57)【要約】【課題】  イジェクト部材とカムフォロアとロック部材とを一体化することにより部品点数を削減し、しかも、構造が簡素で、コストが安価なカード用コネクタを提供する。【解決手段】  金属製のイジェクトバー３は、イジェクトバー本体３Ａと、カムフォロア３Ｂと、カードがコネクタから不用意に飛び出すことを防止するロック部材３Ｃとから一体に構成される。カムフォロアは、弾性変形可能で、その先端にイジェクト機構のハートカムをトレースする自由端３Ｂ１を有する。ロック部材は、弾性変形可能で、その先端付近に形成されている係合部３Ｃ１は、カードの側面に凹状に設けられた被係合部に係合する。したがって、カードがコネクタから飛び出すことは、防止される。【選択図】  図１
2007157356.tif 000002
【特許請求の範囲】
【請求項１】
イジェクト機構を備えるカード用コネクタにおいて、
前記イジェクト機構は、カムと、前記カードが前記コネクタに対して挿入・離脱される際、前記カードと共に移動するイジェクト部材とを有し、
前記イジェクト部材は、イジェクト部材本体と、前記カムにガイドされるカムフォロアと、前記カードが前記コネクタに接続した際前記カードの離脱をロックするロック部材とを有し、前記カムフォロアと前記ロック部材はそれぞれ弾性を備え、
前記イジェクト部材が前記カードの接続位置にあるとき、前記コネクタは、前記カードの離脱をロックする前記ロック部材のロック部と対向する位置に受け部を有し、前記受け部は前記ロック部の弾性変位を阻止することを特徴とするカード用コネクタ。
【請求項２】
前記カードが誤挿入される際、前記ロック部材と前記受け部とが当接することによって、前記カードの誤挿入を防止することを特徴とする請求項１記載のカード用コネクタ。
【請求項３】
前記コネクタはカバーを更に有し、前記カバーに前記受け部が形成され、かつ、前記イジェクト部材と前記カバーとは共に金属から製造されていることを特徴とする請求項１又は２記載のカード用コネクタ。
【請求項４】
前記イジェクト部材は第２受け部を有し、前記カードが誤挿入される際、前記ロック部材と前記第２受け部とが当接することによって、前記カードの誤挿入を防止することを特徴とする請求項１記載のカード用コネクタ。
【発明の詳細な説明】
【技術分野】
【０００１】
本発明は、カード用コネクタに関し、具体的に述べると、プッシュ操作の繰り返しによって、カードのコネクタへの挿入とコネクタからの排出とを行うことができるプッシュ−プッシュ式カード用コネクタに関する。
【背景技術】
【０００２】
第１の従来のプッシュ−プッシュ式カード用コネクタについて説明する（例えば、特許文献１参照。）。
【０００３】
図９は、コネクタ３１の分解斜視図、図１０は、コネクタ３１の組立状態の斜視図、図１１は、可動プレート３４の斜視図である。
【０００４】
コネクタ３１は、インシュレータ３２と、インシュレータ３２に固定された複数のコンタクト３３と、インシュレータ３２上に装着される可動プレート３４と、可動プレート３４を排出方向へ常時付勢するコイルばね３５とから構成される。インシュレータ３２と可動プレート３４との間には、可動プレート３４の移動及びロック機構（後述する。）が構成され、マルチ・メディア・カード（以下「カード」という。）４１は、コネクタ３１に挿入され、また、コネクタ３１から排出される。
【０００５】
個々の部品を詳細に説明すると、インシュレータ３２は、合成樹脂から製造され、その上面には、カム機構３２Ｃ（後述する。）が形成される。コンタクト３３には、一端側に凸状湾曲接点部３３Ａが形成され、他端側にＬ字状接点部３３Ｂが形成されている。可動プレート３４は、金属の平板から製作され、プレスによる打抜きと折曲とによって、可動プレート３４にカード突き当て部３４Ａ、弾力性を有するガイドピン３４Ｂ及びコイルばね係止部３４Ｃが一体に形成されている。ガイドピン３４Ｂの先端部３４Ｂ１は、直角に折曲されて可動プレート３４の打抜き穴３４Ｄから下方へ突出する。コイルばね３５は、インシュレータ３２に形成された長穴３２Ａ内に収容され、コイルばね３５の一端は、長穴３２Ａの一端側に固定された係止ピン３２Ｂに係止され、コイルばね３５の他端は、長穴３２Ａの他端側で可動プレート３４のコイルばね係止部３４Ｃに係止される。
【０００６】
図１２は、ガイドピンの１つの設計変更例を示す。すなわち、図１１に示されるガイドピン３４Ｂは、その先端部３４Ｂ１のみが可動プレート３４の打抜き穴３４Ｄから下方へ突出するが、図１２に示されるガイドピン３４Ｅは、全体が打抜き穴３４Ｄから下方へ突出する。
【０００７】
可動プレート３４の移動及びロック機構について図１４と図１５を参照して説明する。インシュレータ３２には、ハート型のカム機構３２Ｃが一体に形成されている。カム機構３２Ｃは、ガイドピン３４Ｂの先端部３４Ｂ１（前記設計変更例も同様である。）の出発点Ａと、可動プレート３４の移動方向に対して傾斜したガイド部分Ｂと、ハート型の凹型Ｃと、可動プレート３４の移動方向に対して平行なガイド部分Ｄと、ガイドピン３４Ｂの先端部３４Ｂ１の終着点Ｅすなわち出発点Ａとから、循環状のガイドレール（溝）として構成される。ガイドピン３４Ｂの先端部３４Ｂ１は、フリー状態では、図１４の矢印方向へ付勢されている。
【０００８】
カード４１のコネクタ３１に対する挿入と排出（抜去）について図１３と図１５を参照して説明する。
【０００９】
まず、図１３（ａ）は、カード４１の一部がコネクタ３１内に挿入されたフリー状態であり、ガイドピン３４Ｂの先端部３４Ｂ１がカム機構３２Ｃの出発点Ａに位置する。
【００１０】
次に、図１３（ｂ）は、カード４１をコネクタ３１内方向へプッシュし、カード４１の先端が可動プレート３４のカード突き当て部３４Ａに突き当たることによって、カード４１と可動プレート３４とが一体になってコネクタ３１内へコイルばね３５の引張力に抵抗しながら移動する途中の状態であり、ガイドピン３４Ｂの先端部３４Ｂ１は、カム機構３２Ｃにおける可動プレート３４の移動方向に対して傾斜したガイド部分Ｂに位置する。
【００１１】
続いて、カード４１を最大のストロークまでプッシュした後に、プッシュを中止すると、カード４１と可動プレート３４とは、コイルばね３５の引張力によってわずかに戻されて図１３（ｃ）の状態に至る。図１３（ｃ）は、カード４１の複数のパッド４１Ａが複数のコンタクト３３の各凸状湾曲接点部３３Ａに接触した嵌合状態であり、ガイドピン３４Ｂの先端部３４Ｂ１は、カム機構３２Ｃのハート型の凹部Ｃに没入して位置する。以上でカード４１の嵌合操作は、完了する。
【００１２】
再び、カード４１を最大のストロークまでプッシュした後に、プッシュを中止すると、ガイドピン３４Ｂの先端部３４Ｂ１は、カム機構３２Ｃのハート型の凹部Ｃから脱出して可動プレート３４の移動方向に対して平行なガイド部分Ｄを経て終着点Ｅすなわち出発点Ａに至る。カード４１と可動プレート３４とは、コイルばね３５の引張力によって図１３（ｄ）の状態を経て図１３（ｅ）の状態に至る。以上でカード４１の排出操作は、完了する。
【００１３】
なお、カードがスライダから不用意に飛び出すことを防止するロック部材を備える第２のカード用コネクタは、本出願前に頒布された刊行物に記載されている（例えば、特許文献２参照。）。
【００１４】
【特許文献１】特許第３４０７１９４号公報（第２頁第３欄第４２行〜第３頁第５欄第２０行、図１〜図７）
【特許文献２】特許第３２４８０６８号公報（第４頁第７欄第１４行〜第３９行、同頁第８欄第３３行〜第４３行、図２，３，１２）
【発明の開示】
【発明が解決しようとする課題】
【００１５】
前記第１の従来のコネクタのイジェクト部材は、カード４１がコネクタ３１から不用意に飛び出すことを防止するロック部材を一体で備えていない。
【００１６】
前記第２の従来のコネクタでは、ロック部材が別体であり、カードを無理に引き抜こうとした際、ロック部が弾性変位する構成なので、カードの飛び出しを防止することのみで、カードの離脱をロックする機能を備えていない。
【００１７】
そこで、本発明は、イジェクト部材とカムフォロアとロック部材とを一体化することにより部品点数を削減し、しかも、構造が簡素で、カード嵌合後、ロック部の弾性変位を阻止でき、カードの離脱をロックすることができるカード用コネクタを提供しようとするものである。
【００１８】
また、従来のコネクタでは、ロック部材がカードの誤挿入を防止する機能を備えておらず、本発明では、ロック部材にカード誤挿入防止機能を備えたカード用コネクタを提供しようとするものである。
【課題を解決するための手段】
【００１９】
本発明は、前記課題を解決するため、次の手段を採用する。
【００２０】
１．イジェクト機構を備えるカード用コネクタにおいて、前記イジェクト機構は、カムと、前記カードが前記コネクタに対して挿入・離脱される際、前記カードと共に移動するイジェクト部材とを有し、前記イジェクト部材は、イジェクト部材本体と、前記カムにガイドされるカムフォロアと、前記カードが前記コネクタに接続した際前記カードの離脱をロックするロック部材とを有し、前記カムフォロアと前記ロック部材はそれぞれ弾性を備え、前記イジェクト部材が前記カードの接続位置にあるとき、前記コネクタは、前記カードの離脱をロックする前記ロック部材のロック部と対向する位置に受け部を有し、前記受け部は前記ロック部の弾性変位を阻止するカード用コネクタ。
【００２１】
２．前記カードが誤挿入される際、前記ロック部材と前記受け部とが当接することによって、前記カードの誤挿入を防止する前記１記載のカード用コネクタ。
【００２２】
３．前記コネクタはカバーを更に有し、前記カバーに前記受け部が形成され、かつ、前記イジェクト部材と前記カバーとは共に金属から製造されている前記１又は２記載のカード用コネクタ。
【００２３】
４．前記イジェクト部材は第２受け部を有し、前記カードが誤挿入される際、前記ロック部材と前記第２受け部とが当接することによって、前記カードの誤挿入を防止する前記１記載のカード用コネクタ。
【発明の効果】
【００２４】
明細書の説明から明らかなように、本発明は、次の効果を奏する。
【００２５】
１．本発明のイジェクト部材は、従来のイジェクト部材とカムフォロアとロック部材とが一体化されることによって構成されるので、部品点数を削減できる。
【００２６】
２．本発明のカード用コネクタは、構造が簡素で、組立分解が容易で、コストが安価である。
【００２７】
３．本発明のイジェクト部材は、カード嵌合後、ロック部の弾性変位を阻止するので、カードの離脱を防止することができる。
【００２８】
４．本発明は、コネクタに対するカードの誤挿入（傾斜して挿入されること、表裏反転して挿入されること、及び、前後逆に挿入されること）を防止できる。
【発明を実施するための最良の形態】
【００２９】
本発明の一実施例のプッシュ−プッシュ式カード用コネクタについて説明する。
【実施例１】
【００３０】
本発明の実施例１について図１〜図８を参照して説明する。
【００３１】
図１は、コネクタ１（図２等参照）に用いられるイジェクトバー３の斜視図である。金属製のイジェクトバー３は、イジェクトバー本体３Ａと、カムフォロア３Ｂと、カード１１（図２等参照）がコネクタ１から不用意に飛び出すことを防止するロック部材３Ｃとから一体に構成されている。カムフォロア３Ｂは、弾性変形可能で、その先端にハートカム２Ａ（図２等参照）をトレースする自由端３Ｂ１を有する。イジェクトバー３とハートカム２Ａとからイジェクト機構は、構成される。
【００３２】
３Ｅは、カード１１の端部と当接する当接部である。
【００３３】
図２は、コネクタ１のインシュレータ２及びイジェクトバー３とカード１１の諸図である。ただし、カバーは除かれている。（ａ）はカード１１の排出状態の斜視図、（ｂ）は（ａ）の円内におけるハートカム２Ａとカムフォロア３Ｂの自由端３Ｂ１との関係を示す拡大正面図、（ｃ）はカード１１の挿入状態の斜視図、（ｄ）は（ｃ）における（ａ）の円内と同位置のハートカム２Ａとカムフォロア３Ｂの自由端３Ｂ１との関係を示す拡大正面図である。
【００３４】
インシュレータ２に形成されているハートカム２Ａは、（ｂ）と（ｄ）に示されるように、カムフォロア３Ｂの自由端３Ｂ１の出発点Ａと、イジェクトバー３の移動方向に対して傾斜した往行程ガイド部分Ｂと、ハートカム２Ａの凹部Ｃと、イジェクトバー３の移動方向に対して傾斜した復行程ガイド部分Ｄと、自由端３Ｂ１の終着点Ｅすなわち出発点Ａとから循環状に構成される。
【００３５】
カード１１がプッシュされると、自由端３Ｂ１は、出発点Ａから往行程ガイド部分Ｂを経て凹部Ｃにおける点線円の位置に至る。カード１１が再びプッシュされると、自由端３Ｂ１は、凹部Ｃから復行程ガイド部分Ｄを経て終着点Ｅすなわち出発点Ａの点線円の位置に復帰する。
【００３６】
図３は、コネクタ１におけるイジェクトバー３及び金属製のカバー５と、カード１１との位置関係を示す諸図である。ただし、インシュレータ２は、除かれている。
【００３７】
（ａ）は、カード１１がコネクタ１に嵌合した状態の全体の斜視図である。この状態では、後述するように、カード１１は、コネクタ１にロックされている。カード１１の信号パターン１１Ａは、コネクタ１の接点（図示せず）と接続している。
【００３８】
（ｂ）は、カード１１がコネクタ１から排出した状態の要部の正面図である。この状態では、ロック部材３Ｃから突出した係合部３Ｃ１は、カード１１の側面に凹状に設けられた被係合部１１Ｂに係合している。ロック部材３Ｃは、弾性を有するので、カード１１がコネクタ１から不用意に飛び出すことを防止する。ただし、手指によってカード１１を引くと、ロック部材３Ｃが弾性変形するため、係合部３Ｃ１は被係合部１１Ｂから脱出するので、カード１１をコネクタ１から引き出すことができる。
【００３９】
（ｃ）は、カード１１がコネクタ１に嵌合した状態の要部の斜視図である。この状態では、ロック部材３Ｃの係合部３Ｃ１は、カバー５に設けられている受け部５Ａに当接している。したがって、ロック部材３Ｃは、弾性変形を阻止されるので、カード１１は、コネクタ１から排出することができない。
【００４０】
本実施例では、受け部５Ａは、カバー５に設けられているが、インシュレータ２の適宜の部位に設けることができる。
【００４１】
図４（ａ）は、カバー５がインシュレータ２に固定される前のフリー状態を示す正面図である。この状態における６箇所の円内に示されている曲げ足５Ｂを曲げると、図４（ｂ）の固定状態に至る。
【００４２】
図５は、圧縮コイルスプリング４をカバー５とイジェクトバー３とに取り付ける構造を示すコネクタ１の要部の斜視図である。ただし、インシュレータ２は、除かれている。
【００４３】
圧縮コイルスプリング４の一端部付近は、カバー５に折曲形成されている突出部５Ｃにはめられ、他端部付近は、イジェクトバー３に折曲形成されている突出部３Ｄにはめられる。したがって、イジェクトバー３は、圧縮コイルスプリング４によってコネクタ１から排出する方向へ常時付勢されている。
【００４４】
図６は、カバー５をインシュレータ２に固定する他の構造の斜視図である。
【００４５】
（ａ）は、カバー５とインシュレータ２の各要部を示す。カバー５の左右両辺部の内側の２箇所に突出部５Ｄが折曲形成され、外側の１箇所に長方形枠状の突出部５Ｅが折曲形成されている。インシュレータ２の左右両辺部の内側の２箇所に凹部２Ｂが形成され、外側の１箇所に隆起部２Ｃが形成されている。各突出部５Ｄを各凹部２Ｂに圧入し、また、突出部５Ｅを隆起部２Ｃにラッチ止めすると、（ｂ）に示される状態に至る。
【００４６】
図７（ａ）は、カード１１がコネクタ１と嵌合した状態の斜視図、図７（ｂ）は、カード１１がコネクタ１から排出した状態の斜視図を、それぞれ示す。ただし、いずれもカバー５は、除かれている。図７（ｂ）の右上部の略楕円内にハートカム２Ａが示されている。
【００４７】
図８（ａ）は、カード１１がコネクタ１に傾斜して矢印方向に誤挿入されるときの斜視図、図８（ｂ）は、図８（ａ）における誤挿入防止機構の拡大斜視図を、それぞれ示す。ただし、いずれもインシュレータ２は、除かれている。ここにいう誤挿入とは、カード１１がコネクタ１に、傾斜して挿入されること、表裏反転して挿入されること、及び、前後逆に挿入されることを総称する。
【００４８】
図８（ｂ）において、カード１１の前側左隅部は、折曲されているロック部材３Ｃの第１平坦部３Ｃ２に当接し、第１平坦部３Ｃ２は、イジェクトバー本体３Ａの第２受け部３Ａ１（図１も参照）に当接する。また、ロック部材３Ｃの第２平坦部３Ｃ３は、カバー５の受け部５Ａ（図３（ｂ）も参照）に当接する。したがって、ロック部材３Ｃは、これ以上の弾性変形を阻止されるので、カード１１は、コネクタ１に挿入されない。
【図面の簡単な説明】
【００４９】
【図１】本発明の実施例１のカード用コネクタにおけるイジェクトバーの斜視図である。
【図２】同コネクタのインシュレータ及び同イジェクトバーとカードの諸図であり、カバーは除かれている。（ａ）は同カードの排出状態の斜視図、（ｂ）は（ａ）の円内の拡大正面図、（ｃ）は同カードの挿入状態の斜視図、（ｄ）は（ｃ）における（ａ）の円内と同位置の拡大正面図を、それぞれ示す。
【図３】同コネクタにおける同イジェクトバー及び同カバーと同カードとの位置関係を示す諸図であり、同インシュレータは除かれている。（ａ）は同カードが同コネクタに嵌合した状態の全体の斜視図、（ｂ）は同カードが同コネクタから排出した状態の要部の正面図、（ｃ）は同カードが同コネクタに嵌合した状態の要部の正面図を、それぞれ示す。
【図４】同カバーを同インシュレータに固定する構造の正面図であり、（ａ）はフリー状態、（ｂ）は固定状態を、それぞれ示す。
【図５】圧縮コイルスプリングを同カバーと同イジェクトバーとに取り付ける構造を示す同コネクタの要部の斜視図であり、同インシュレータは除かれている。
【図６】同カバーを同インシュレータに固定する他の構造の斜視図であり、（ａ）は固定する前の状態、（ｂ）は固定状態を、それぞれ示す。
【図７】（ａ）は同カードが同コネクタと嵌合した状態の斜視図、（ｂ）は同カードが同コネクタから排出した状態の斜視図を、それぞれ示し、いずれも同カバーは除かれている。
【図８】（ａ）は同カードが同コネクタに傾斜して矢印方向に誤挿入されるときの斜視図、（ｂ）は（ａ）における誤挿入防止機構の拡大斜視図を、それぞれ示し、いずれも同インシュレータは除かれている。
【図９】従来のプッシュ−プッシュ式カード用コネクタの分解斜視図である。
【図１０】同コネクタにカードを挿入する前の状態の斜視図である。
【図１１】同コネクタの可動プレートの斜視図である。
【図１２】同可動プレートの一設計変更例の斜視図である。
【図１３】同コネクタに対する同カードの挿入と排出の過程を示す斜視図であり、順次（ａ）〜（ｅ）に示す。
【図１４】同コネクタにおけるカム機構とガイドピンとの関係を示す斜視図である。
【図１５】同コネクタにおける同カム機構のガイドレールにガイドされる同ガイドピンの過程を示す斜視図である。
【符号の説明】
【００５０】
１  コネクタ、プッシュ−プッシュ式カード用コネクタ
２  インシュレータ
２Ａ  ハートカム
２Ｂ  凹部
２Ｃ  隆起部
３  イジェクト部材（イジェクトバー）
３Ａ  イジェクトバー本体
３Ａ１  第２受け部
３Ｂ  カムフォロア
３Ｂ１  自由端
３Ｃ  ロック部材
３Ｃ１  係合部
３Ｃ２  第１平坦部
３Ｃ３  第２平坦部
３Ｄ  突出部
４  圧縮コイルスプリング
５  カバー
５Ａ  受け部
５Ｂ  曲げ足
５Ｃ  突出部
５Ｄ  突出部
５Ｅ  突出部
１１  カード
１１Ａ  信号パターン
１１Ｂ  被係合部
【図１】
2007157356.tif 000003
【図２】
2007157356.tif 000004
【図３】
2007157356.tif 000005
【図４】
2007157356.tif 000006
【図５】
2007157356.tif 000007
【図６】
2007157356.tif 000008
【図７】
2007157356.tif 000009
【図８】
2007157356.tif 000010
【図９】
2007157356.tif 000011
【図１０】
2007157356.tif 000012
【図１１】
2007157356.tif 000013
【図１２】
2007157356.tif 000014
【図１３】
2007157356.tif 000015
【図１４】
2007157356.tif 000016
【図１５】
2007157356.tif 000017